(57)【要約】【課題】スイッチやコンセント等の配置を利用者自らで容易に変更することができるようにするとともに、意匠性にも優れた電気パネルユニットを提供する。【解決手段】壁２内部に組み込まれた取付枠３と、該取付枠３に設けられた複数の開口部３ａに着脱可能にはめ込まれるブロック４と、から構成される電気パネルユニット１であって、前記ブロック４を、接続具または操作具を内装した接続ブロックと、接続具または操作具を有しないダミーブロックとから構成した。【選択図】図１
2005328612.tif 000002
【特許請求の範囲】
【請求項１】
複数の開口部を有する取付枠と、
該取付枠に設けられた複数の開口部に、着脱可能にはめ込まれるブロックと、
から構成される電器パネルユニットであって、
前記ブロックを、
接続具または操作具を内装した接続ブロックと、
接続具または操作具を有しないダミーブロックと、から構成した
ことを特徴とする電器パネルユニット。
【請求項２】
前記接続ブロックは、
電源用コンセント、アンテナコンセント、電話用コンセント又は電源用スイッチの少なくとも１つを有する
ことを特徴とする請求項１に記載の電器パネルユニット。
【請求項３】
前記各開口部間には配線を通すための連通孔が設けられている
ことを特徴とする請求項１又は２に記載の電器パネルユニット。
【請求項４】
前記取付枠を天井と床の間の壁面に組み込むことを特徴とする請求項１に記載の電器パネルユニット。
【発明の詳細な説明】
【技術分野】
【０００１】
本発明は、壁に配置されるスイッチ又はコンセントの配置変更を可能にする電器パネルユニットに関する。
【背景技術】
【０００２】
一般的に、新築時に壁に対して位置決定されたスイッチやコンセントの配置は容易に変更することができないものである。このため、スイッチやコンセントの配置を変更するためには下地（石膏ボード）及びクロスを加工するか、もしくは張替えが必要となり、利用者自身での配置変更は困難なものであった。
また、利用者が不慮の事故や老化等によって身体的に変化が生じた場合に、スイッチやコンセントの位置に手が届かなくなったり、家具を配置することによってスイッチが隠れてしまったりと、利用者にとって不便を感じさせることがあったのである。
参考として、従来では、スイッチボックスの設置位置を変更可能に構成したものが公知となっている。（例えば、特許文献１参照。）
【０００３】
【特許文献１】特開２０００−３３３３３７号公報
【発明の開示】
【発明が解決しようとする課題】
【０００４】
しかしながら、特許文献１に記載されるスイッチボックスの取付構造においては、利用者による配置変更を考慮したものではなかった。
本発明においては、上記の背景に基づいて、スイッチやコンセント等の配置を利用者自らで容易に変更することができる電器パネルユニットを提供するものである。
そして、下地やクロスの加工及び張替えを必要とすることなく容易に配置変更を可能とするとともに、意匠性にも優れた電器パネルユニットを提供することを目的とするものである。
【課題を解決するための手段】
【０００５】
本発明の解決しようとする課題は以上の如くであり、次にこの課題を解決するための手段を説明する。
【０００６】
即ち、請求項１においては、複数の開口部を有する取付枠と、該取付枠に設けられた複数の開口部に、着脱可能にはめ込まれるブロックと、から構成される電器パネルユニットであって、前記ブロックを、接続具または操作具を内装した接続ブロックと、接続具または操作具を有しないダミーブロックと、から構成したものである。
【０００７】
請求項２においては、前記接続ブロックは、電源用コンセント、アンテナコンセント、電話用コンセント又は電源用スイッチの少なくとも１つを有するものである。
【０００８】
請求項３においては、前記各開口部間には配線を通すための連通孔が設けられているものである。
【０００９】
請求項４においては、前記取付枠を天井と床の間の壁面に組み込むものである。
【発明の効果】
【００１０】
本発明の効果として、以下に示すような効果を奏する。
【００１１】
請求項１においては、ブロックを着脱するだけで、利用者自身でスイッチボックスの配置変更を容易に行うことができるとともに、スイッチやコンセントの増設が可能となる。
【００１２】
請求項２においては、スイッチだけでなく、コンセントやテレビのアンテナ線や電話線等の配置も利用者自身で変更することができる。
【００１３】
請求項３においては、連通孔を通して開口部間の配線を変更することが可能となり、パネルの裏側に回って配線したり、パネルとパネルの間を通したり、配線用のパイプ内を通したりする必要がなく、配線変更も容易にできる。
【００１４】
請求項４においては、天井と床の間にパネルが設けられるので、家屋建築時の組立が簡単に行え、高い強度も得られる。
【発明を実施するための最良の形態】
【００１５】
次に、発明の実施の形態を説明する。
図１は本発明の一実施例に係る電器パネルユニットの全体的な構成を示す斜視図、図２はブロック取付状態の電器パネルユニットを示す斜視図、図３はスイッチ位置変更後の電器パネルユニットを示す斜視図、図４は開口部に嵌め込むブロックの構成を示す斜視図である。
【００１６】
まず、本発明の一実施例に係る電器パネルユニット１の全体構成について説明する。
図１に示すように、電器パネルユニット１は天井と床の間に配置されるもので、内壁の代わりとなるものである。該電器パネルユニット１は壁２内（左右の壁２・２間）に固定された取付枠３と、該取付枠３に着脱可能（実際には抜差し可能）に取付けられるブロック４と、から構成されている。
前記取付枠３は板状の壁体に複数の開口部３ａを設けた構造としており、該開口部３ａに対して、前記ブロック４が抜差し可能に取付けられるものである。また、取付枠３にブロック４を嵌め込んだ際に、ブロック４の表面が壁面と同一面になるように配置されている。
本実施の形態においては、前記開口部３ａは正方形状に形成され、鉛直方向に各７個ずつ、横方向に各３個ずつ設けられ碁盤目状に配置されているが、形状及び数量、配置位置は特に限定されるものではなく、開口部３ａは円形や多角形等としたり、適宜間隔を開けて配置することもできる。
【００１７】
また、前記取付枠３に複数設けられた開口部３ａ・３ａ・・・間を仕切る各隔壁３ｂ・３ｂ・・・には隣接する開口部３ａ・３ａ間を連通する連通孔３ｃ・３ｃ・・・がそれぞれ設けられており、該連通孔３ｃ・３ｃ・・・を介して各開口部３ａ・３ａ・・・に配線５を通すことができるようにして、ブロック４に組み込まれるスイッチ等に接続できるようにしている。
なお、前記開口部３ａ・３ａ・・・の奥側面にコンセント等を取付けておき、該コンセントに配線５を接続して、ブロック４を挿し込むと同時にコンセントとスイッチボックスとが接続する構成としてもよい。
【００１８】
図４に示すように、前記ブロック４は前記開口部３ａに差し込まれる差込部４ａと表面側を形成する表面部４ｂとから構成されており、差込部４ａは前記開口部３ａに合致する形に成形されているものである。表面部４ｂは差込部４ａの外周よりやや大きく成形されており、開口部３ａにブロック４を嵌め込んだ際に隙間ができないように構成している。
また、該表面部４ｂによってブロック４を取付枠３に取付けた際の壁面を形成するものである。
【００１９】
なお、本実施の形態においては、前記ブロック４の差込部４ａを開口部３ａに挿し込むだけで取付が完了するように構成しているが、開口部の側面（又は奥側面）とブロック４の差込部４ａの側面（又は奥側面）にマグネット等を取付けて、嵌め込み固定できるように構成してもよいし、スプリングと係止具を用いて固定できるように構成してもよく、取付方法は特に限定されるものではない。
【００２０】
前記ブロック４には、図４（ａ）に示すような照明装置の点灯・消灯スイッチ１０や空調等のリモコン等の操作具を内装したスイッチブロック２０、図４（ｂ）に示すようなコンセント１１やテレビアンテナ用のジャック１２や電話用のモジュラージャック１３やＬＡＮのジャック１４等の接続具を内装したコンセントブロック２１、図４（ｃ）に示すような特になにも内装せず、表面（室内側）の内装に合わせた柄や模様、又は、パネルのみの模様を描いた、又は描いたり選択したりするようにしたダミーブロック２２を用意しており、それぞれ開口部３ａに嵌め込まれるようにしている。
なお、上記の各ブロック２０・２１は接続ブロックの形態の一例であり、ディスプレイやダイヤルやボタンやランプ等を組み込むことも可能である。また、各ブロック２０・２１の背面に接続用の端子またはカプラまたはジャックを設けて、ブロックを嵌め込むだけで配線と接続できるようにしてもよい。
【００２１】
また、各ブロック２０・２１・２２の何れか一辺には取外用の切欠等を設けておくことが好ましい。
つまり、本電器パネルユニット１によって、ブロック４内に組み込む各種電器設備の位置変更や増設が可能となるのである。
また、前記ブロック４の表面部４ｂに意匠を施すことでインテリアとしても利用でき、部屋の雰囲気を変化させることができる。さらに、表面部４ｂにコルクボードやホワイトボード等を設けることでメモをとることも可能となり、多様に利用することが可能である。
【００２２】
このように構成される電器パネルユニット１において、実際にスイッチの位置変更を行う場合には、図３に示すように、取付枠３の開口部３ａに嵌め込んだスイッチブロック２０及びダミーブロック２２を取外し、スイッチブロック２０を配置する所定の開口部３ａに配線５を通して接続し、スイッチブロック２０を嵌め込むのである。そして、スイッチブロック２０が嵌め込まれた開口部３ａを除く、他の開口部３ａにダミーブロック２２を嵌め込んでスイッチボックス１０の位置変更が完了するのである。
また、特に、配線５は一本に限るものではないため、ダミーブロック２２をコンセントブロック２１に置き換えて配置してもよく、各種設備の位置変更を自由に行うことができる。
【００２３】
以上のように、電器パネルユニット１を壁２内部に組み込まれた取付枠３と、該取付枠３に設けられた少なくとも２つの開口部３ａに対し、抜差し可能にはめ込まれる前記開口部３ａと同数のブロック４と、から構成し、該ブロック４を、スイッチボックス１０を内装した少なくとも１つのスイッチブロック２０と、ダミーブロック２２と、で構成したので、下地やクロスの張り替え等を必要とせず、利用者自身でスイッチボックスの配置変更を容易に行うことができるとともに、スイッチボックスやコンセントの増設を容易に行うことができるようになる。
そして、利用者が不慮の事故や老化等によって身体的に変化が生じた場合にも、スイッチやコンセントの位置を所望の変更できるため、利用者は不便を感じることなく、スイッチやコンセントを使用することができる。
【００２４】
また、以上に説明した電器パネルユニット１は壁面だけでなく、天井や間仕切りにも適用可能である。
即ち、天井部に適用する場合には、取付枠３に固定金具等を設けてブロック４が落下しないように構成することで、照明のコンセント等の位置変更が可能となり、照明の配置を自由に変更可能にすることができるようになるのである。
【００２５】
なお、以上に説明した電器パネルユニット１は本発明の一実施の形態であり、電器パネルユニット１の形状はこれに限定されるものではない。
また、取付枠３に設けた開口部３ａの形状、個数、配置等や、ブロック４の形状、配色等もこれに限定されるものではない。
【図面の簡単な説明】
【００２６】
【図１】本発明の一実施例に係る電器パネルユニットの全体的な構成を示す斜視図。
【図２】ブロック取付状態の電器パネルユニットを示す斜視図。
【図３】スイッチ位置変更後の電器パネルユニットを示す斜視図。
【図４】開口部に嵌め込むブロックの構成を示す斜視図。
【符号の説明】
【００２７】
１    電器パネルユニット
２    壁
３    取付枠
３ａ  開口部
３ｂ  隔壁
３ｃ  連通孔
４    ブロック
５    配線
２２  ダミーブロック
【図１】
2005328612.tif 000003
【図２】
2005328612.tif 000004
【図３】
2005328612.tif 000005
【図４】
2005328612.tif 000006